(57)【要約】【課題】距離情報の精度に応じて、最適なストロボ発光制御を行う。【解決手段】予備発光による被写体からの反射光を、分割された複数の領域で測光する測光手段と、被写体距離検出手段と、距離精度判別手段（＃１１１〜＃１１７）と、被写体距離検出手段により検出された被写体距離より適正測光レベルを算出する第１の演算手段（＃１２１）と、距離精度判別手段の判別結果に応じて設定される距離精度と前記適正測光レベルをもとに、異常反射領域を識別するための識別レベルを演算する第２の演算手段（＃１２１）と、前記複数の領域の測光値を前記識別レベルと比較することで異常反射領域を判別する判別手段（＃１２１）と、前記複数の領域から前記異常反射領域を除外した領域による被写体反射光の測光値を算出する第３の演算手段と有し、前記測光値により本発光量を制御してストロボ撮影を行う（＃１２４）。【選択図】        図６
2004258430.tif 000002
【特許請求の範囲】
【請求項１】
ストロボ撮影に際して本発光前に予備発光を行うストロボ撮影システムにおいて、
予備発光による被写体からの反射光を、分割された複数の領域で測光する測光手段と、被写体距離検出手段と、距離精度判別手段と、被写体距離検出手段により検出された被写体距離より適正測光レベルを算出する第１の演算手段と、前記距離精度判別手段の判別結果に応じて設定される距離精度と前記適正測光レベルをもとに、異常反射領域を識別するための識別レベルを演算する第２の演算手段と、前記複数の領域の測光値を前記識別レベルと比較することで異常反射領域を判別する判別手段と、前記複数の領域から前記異常反射領域を除外した領域による被写体反射光の測光値を算出する第３の演算手段と有し、
前記測光値により本発光量を制御してストロボ撮影を行うことを特徴とするストロボ撮影システム。
【発明の詳細な説明】
【０００１】
【発明の属する技術分野】
本発明は、被写体に向けてストロボに予備発光を行わせ、適正露出を得るための本発光量の演算を行うストロボ撮影システムの改良に関するものである。
【０００２】
【従来の技術】
ストロボ撮影を行う際に、ストロボによる被写体での反射光を調光して自動露出撮影を行う場合に、被写体側にガラスや鏡などの反射率の高い被写体がある場合、その高反射率の被写体に露出が引っ張られて結果として主被写体の露出が不足する場合がある。
【０００３】
上記対策として、ピントの合っている距離に主被写体があるものとして、ストロボを撮影直前に予備発光させ、撮影領域を複数に分割して各領域で測光を可能にする測光センサを用いて、被写体から戻ってくる反射光を測光し、ある領域の測光結果が撮影距離から求められる輝度よりも高い場合にその領域に高反射物があるとして、その領域を調光領域から排除する事により、正反射の影響受けにくくした自動調光カメラが特許文献１により開示されている。
【０００４】
【特許文献１】
特開平３−２８７２４０号公報
【０００５】
【発明が解決しようとする課題】
しかしながら、上記特許文献１にて開示されている自動調光カメラでは、カメラに対峙したガラスなどの高反射率の被写体による異常反射領域を排除する事で、露出がアンダーになる事は防止できるが、距離情報精度（ピント調節された後のフォーカシングレンズの位置から被写体距離に変換した情報（距離情報）の精度を意味する）の悪いレンズ、あるいは、被写体距離が遠くなると正確に該被写体距離を得ることが出来なくなる短焦点系のレンズなどでは、正確に異常反射領域を判定することができない問題があった。
【０００６】
（発明の目的）
本発明の目的は、距離情報の精度に応じて、最適なストロボ発光制御を行うことのできるストロボ撮影システムを提供しようとするものである。
【０００７】
【課題を解決するための手段】
上記目的を達成するために、本発明は、ストロボ撮影に際して本発光前に予備発光を行うストロボ撮影システムにおいて、予備発光による被写体からの反射光を、分割された複数の領域で測光する測光手段と、被写体距離検出手段と、距離精度判別手段と、被写体距離検出手段により検出された被写体距離より適正測光レベルを算出する第１の演算手段と、前記距離精度判別手段に応じて設定される距離精度と前記適正測光レベルをもとに、異常反射領域を識別するための識別レベルを演算する第２の演算手段と、前記複数の領域の測光値を前記識別レベルと比較することで異常反射領域を判別する判別手段と、前記複数の領域から前記異常反射領域を除外した領域による被写体反射光の測光値を算出する第３の演算手段と有し、前記測光値により本発光量を制御してストロボ撮影を行うストロボ撮影システムとするものである。
【０００８】
【発明の実施の形態】
以下、本発明を図示の実施の形態に基づいて詳細に説明する。
【０００９】
図１は本発明の実施の一形態に係る、一眼レフレックスカメラと該カメラに装着されるストロボとによって成るストロボ撮影システムを示す構成図であり、ここでは主に光学的な配置関係を示している。
【００１０】
同図において、１はカメラ本体であり、その前面には撮影レンズ１１が装着される。カメラ本体１内には、光学部品、機械部品、電気回路およびフィルム又はＣＣＤ等の撮像素子などが収納され、写真又は画像撮影が行えるようになっている。２は主ミラーであり、ファインダー観察状態では撮影光路内に斜設され、撮影状態では撮影光路外に退避する。また、主ミラー２はハーフミラーとなっており、撮影光路内に斜設されているときは、後述する焦点検出光学系へ被写体からの光線の約半分を透過させる。
【００１１】
３は、ファインダー光学系を構成する、後述のレンズ１２〜１４の予定結像面に配置されたピント板であり、４はファインダー光路変更用のペンタプリズムである。５はアイピースであり、撮影者はこの窓からピント板３を観察することで、撮影画面を観察することができる。６と７はファインダー観察画面内の被写体輝度を測定するための結像レンズと測光センサであり、結像レンズ６はペンタプリズム４内の反射光路を介してピント板３と測光センサ７とを共役に関係付けている。
【００１２】
８はフォーカルプレーンシャッターである。９は感光部材であり、銀塩フィルム又はＣＣＤ等の撮像素子が用いられる。２５はサブミラーであり、主ミラー２とともに、ファインダー観察状態では撮影光路内に斜設され、撮影状態では撮影光路外に退避する。このサブミラー２５は、斜設された主ミラー２を透過した光線を下方に折り曲げて、後述の焦点検出ユニットの方に導くものである。
【００１３】
２６は焦点検出ユニットであり、２次結像ミラー２７、２次結像レンズ２８、焦点検出ラインセンサ２９や後述の焦点検出回路等から構成されている。２次結像ミラー２７および２次結像レンズ２８は焦点検出光学系を構成しており、撮影レンズ１１の２次結像面を焦点検出ラインセンサ２９上に形成している。この焦点検出ユニット２６はいわゆる位相差検出法によって撮影レンズ１１の焦点調節状態を検出し、その検出結果を撮影レンズの焦点調節機構を制御する自動焦点調節装置へ送出する。
【００１４】
１０はカメラ本体１と撮影レンズ１１との通信インターフェイスとなるマウント接点群である。
【００１５】
１２〜１４はレンズであり、１群レンズ（以下、フォーカシングレンズと記す）１２は光軸上を前後に移動することで撮影画面のピント位置を調整するものであり、２群レンズ１３は光軸上を前後に移動することで撮影レンズ１１の焦点距離を変更し、撮影画面の変倍を行うものであり、１４は固定の３群レンズである。１５は絞りである。１６は駆動モータであり、自動焦点調節動作時にフォーカシングレンズ１２を光軸方向に前後移動させるフォーカス駆動モータである。１７は絞り１５の開口径を変化させるための絞り駆動モータである。１８は距離エンコーダーであり、フォーカシングレンズ１２に取り付けられたブラシ１９が摺動することで、該フォーカシングレンズ１２の位置を読み取り、被写体距離に相当する信号を発生する。詳しくは、距離エンコーダ１８とブラシ１９および後述のレンズマイコン１１２は、ピント調節された後のフォーカシングレンズ１２の位置を読み取り、該位置よりその時の被写体距離に換算した信号（被写体距離情報）を出力する被写体距離検出手段を構成している。
【００１６】
３０はカメラ本体１に着脱可能なストロボであり、カメラ本体１に装着され、該カメラ本体１からの信号に従って発光制御を行うものである。３１はキセノン管（以下、Ｘｅ管と記す）であり、電流エネルギーを発光エネルギーに変換する。３２と３３は反射板とフレネルレンズであり、それぞれ発光エネルギーを効率良く被写体に向けて集光する役目を持つ。３７はグラスファイバーであり、Ｘｅ管３１の発光量をモニターするために、Ｘｅ管３１から発せられた光の一部をフォトダイオード等の第１の受光素子３８に導くものである。これにより、Ｘｅ管３１の予備発光および本発光の光量をモニターすることができる。
【００１７】
３５はＸｅ管３１から発せられた光をモニターするためのフォトダイオード等の第２の受光素子である。この第２の受光素子３５の出力により、Ｘｅ管３２の発光電流を制限してフラット発光の制御を行う。３４と３６は、反射笠３３と一体となったライトガイドであり、第２の受光素子３５又はファイバー３７にＸｅ管３１からの光の一部を反射して導くものである。
【００１８】
３９はカメラ本体１とストロボ３０との通信インターフェイスとなるストロボ接点群である。
【００１９】
次に、図２を用いて、上記ストロボ撮影システムの回路構成について説明する。なお、図１と共通の構成要素には同じ符号を付している。
【００２０】
まず、カメラ本体１内の回路構成について説明する。
カメラマイコン１００には、焦点検出回路１０５、測光センサ７、シャッター制御回路１０７、モータ制御回路１０８、スイッチセンス回路１１０および液晶表示回路１１１が接続されている。また、カメラマイコン１００は、撮影レンズ１１内に配置されたレンズ制御回路１１２とはマウント接点１０を介して信号伝達を行い、ストロボ３０内に設けられたストロボマイコン２００とはストロボ接点群３９を介して信号伝達を行う。
【００２１】
焦点検出回路１０５は、カメラマイコン１００からの信号に従って焦点検出ラインセンサ２９の積制御と読み出し制御を行い、それぞれの画素情報をカメラマイコン１００に出力する。カメラマイコン１００はこの情報をＡ／Ｄ変換し、位相差検出法による焦点調節状態の検出を行い、レンズマイコン１１２と信号のやりとりを行うことによって、撮影レンズ１１の焦点調節制御を行う。
【００２２】
測光センサ７は、ストロボ３０にて被写体へ向けて予備発光されていない定常状態と予備発光されている状態と双方の状態で輝度信号を出力し、カメラマイコン１００はその輝度信号をＡ／Ｄ変換し、撮影の露出調節のための絞り値およびシャッター速度の演算と、露光時のストロボ本発光量の演算とを行うとともに被写体の測色も行うが、これに関しては後述する。
【００２３】
シャッター制御回路１０７は、カメラマイコン１００からの信号に従ってフォーカルプレンシャッター８を構成するシャッター先幕駆動マグネットＭＧ−１およびシャッター後幕駆動マグネットＭＧ−２の通電制御を行い、シャッター先幕および後幕を走行させ、露出動作を行う。モータ制御回路１０８は、カメラマイコン１００からの信号に従ってモータＭを制御することにより、主ミラー２のアップダウンおよびシャッターチャージなどを行う。
【００２４】
ＳＷ１は不図示のレリーズボタンの第１ストローク（半押し）操作でＯＮし、測光、ＡＦ（自動焦点調節）を開始させるスイッチである。ＳＷ２はレリーズボタンの第２ストローク（全押し）操作でＯＮし、シャッター走行、すなわち露光動作を開始させるスイッチである。ＳＷＦＥＬＫは予備発光を独立して行わせるスイッチである。スイッチＳＷ１，ＳＷ２，ＳＷＦＥＬＫおよびその他、不図示の操作部材であるＩＳＯ感度設定スイッチ、絞り設定スイッチ、シャッター速度設定スイッチなどの各スイッチの状態信号は、スイッチセンス回路１１０を介してカメラマイコン１００が読み取る。
【００２５】
液晶表示回路１１１は、ファインダー内表示器２４と外部表示器４２をカメラマイコン１００からの信号に従って制御する。
【００２６】
次に、撮影レンズ１１内の電気回路構成について説明する。
【００２７】
カメラ本体１と撮影レンズ１１とはレンズマウント接点１０を介して相互に電気的に接続される。このレンズマウント接点１０は、撮影レンズ１１内のフォーカス駆動用モータ１６および絞り駆動用モータ１７の電源用接点である接点Ｌ０と、レンズマイコン１１２の電源用接点Ｌ１と、シリアルデータ通信を行うためのクロック用接点Ｌ２と、カメラ本体１から撮影レンズ１１へのデータ送信用接点Ｌ３と、撮影レンズ１１からカメラ本体１へのデータ送信用接点Ｌ４と、モータ用電源に対するモータ用グランド接点Ｌ５と、レンズマイコン１１２用電源に対するグランド接点Ｌ６とから構成されている。
【００２８】
レンズマイコン１１２は、レンズマウント接点１０を介してカメラマイコン１００と接続され、カメラマイコン１００からの信号に応じてフォーカシングレンズ１２を駆動するフォーカス駆動モータ１６および絞り１５を駆動する絞り駆動モータ１７を動作させ、撮影レンズ１１の焦点調節と絞りを制御する。５０と５１は光検出器とパルス板であり、レンズマイコン１１２がパルス数をカウントすることによりピント調節（合焦動作）時のフォーカシングレンズ１２の位置情報を得る。これにより、撮影レンズ１１の焦点調節を行うことができる。
【００２９】
１８は前述した距離エンコーダーであり、ここで読み取られたフォーカシングレンズ１２の位置情報はレンズマイコン１１２に入力され、ここで被写体距離情報に変換され、カメラマイコン１００に伝達される。
【００３０】
次に、図３を用いて、測光センサ７について説明する。
測光センサ７は、シリコンフォトダイオードなどの受光素子と該受光素子で発生した光電流を増幅するアンプなどから構成されている集積回路であり、図３は測光センサ７の受光部を入射面から眺めたものである。
【００３１】
測光センサ７の受光部は、撮像素子またはフィルム７の画面とほぼ同一の範囲を受光するように配置されており、その受光面は図３のＰ（０，０）〜Ｐ（６，４）で示すように、複数の領域（３５の受光部）に分割されている。各々の受光部はシリコンフォトダイオードなどの受光素子であり、光があたると所定の光電流が発生するものであり、光電流の出力は公知の対数圧縮増幅器を経て向かって左上から順次カメラマイコン１００に送られる。カメラマイコン１００は各々の受光素子の出力をＡ／Ｄ変換を行うことにより、撮影範囲各部の輝度をデジタル値として測光する事ができる。
【００３２】
次に、ストロボ３０の構成について、図４を用いて説明する。
【００３３】
同図において、２００はストロボ３０全体の動作を制御するストロボマイコン、２０１は電源電池である。２０２はＤＣ／ＤＣコンバータであり、電池電圧を数１００Ｖに昇圧する。２０３は発光エネルギーを蓄積するメインコンデンサである。２０４，２０５は抵抗であり、メインコンデンサ２０３の電圧を所定比に分圧する。２０６は発光電流を制限するためのコイル、２０７は発光停止時に発生する逆起電圧を吸収するためのダイオード、３１はＸｅ管である。２１１はトリガー発生回路、２１２はＩＧＢＴなどの発光制御回路である。
【００３４】
２３０はデータセレクタであり、Ｙ０，Ｙ１の２入力の組み合わせにより、Ｄ０，Ｄ１，Ｄ２を選択してＹに出力する。２３１はフラット発光の発光レベル制御用のコンパレータ、２３２は閃光発光（ストロボ発光）時の発光量制御用のコンパレータである。  ３５はフラット発光制御用の受光センサであるフォトダイオード等の第２の受光素子であり、Ｘｅ管３１の光出力をモニターする。２３４は第２の受光素子３５に流れる微少電流を増幅すると共に光電流を電圧に変換する測光回路である。３８は閃光発光制御用の受光センサであるフォトダイオード等の第１の受光素子であり、Ｘｅ管３１の光出力をモニターする。２３６は第１の受光素子３８に流れる光電流を対数圧縮するとともにＸｅ管３１の発光量を圧縮積分するための積分回路である。
【００３５】
３９はカメラ本体１との通信を行うためにホットシューに設けられたストロボ接点群である。２４２はストロボ３０の電源オンオフを切り換えるための電源スイッチである。
【００３６】
次に、ストロボマイコン２００の各端子について説明する。
【００３７】
ＣＮＴはＤＣ／ＤＣコンバータ２の充電を制御する制御出力端子、ＣＯＭ２はスイッチ２４２のグランド電位に相当する制御出力端子、ＯＦＦはストロボ３０が電源オフ時に選択される入力端子、ＯＮはストロボ３０が電源オン時に選択される入力端子である。ＣＬＫはカメラ本体１とのシリアル通信のための同期クロックの入力端子、ＤＯは同期クロックに同期して、ストロボ３０からカメラ本体１にシリアルデータを転送するためのシリアル出力端子、ＤＩは同期クロックに同期して、カメラ本体１からストロボ３０にシリアルデータを転送するためのシリアルデータ入力端子である。
【００３８】
ＩＮＴは積分回路２３６の積分制御出力端子であり、ＡＤ０は積分回路２３６の発光量を示す積分電圧を読み込むためのＡ／Ｄ変換入力端子、ＤＡ０はコンパレータ２３１および２３２のコンパレート電圧を出力するためのＤ／Ａ出力端子である。Ｙ０，Ｙ１は前述のデータセレクタ２３０の選択状態の出力端子であり、ＴＲＩＧは発光トリガーの出力端子である。
【００３９】
次に、上記構成のストロボ撮影システムの動作について、図５および図６のフローチャートを用いて説明する。
【００４０】
図２で示したカメラ本体１のスイッチＳＷ１がオンされると、ステップ＃１００より動作を開始する。ここでは、カメラマイコン１００は、焦点検出回路１０５を含む焦点検出ユニット２６内の焦点検出ラインセンサ２９に結像された被写体象のずれから、公知の方法で焦点検出を行い、合焦位置までのレンズ駆動量を演算して、前述のシリアル通信ラインＬＣＫ，ＬＤＯ，ＬＤＩを介してレンズマイコン１１２に対して出力する。レンズ駆動量が入力されるとレンズマイコン１１２は、フォーカス駆動モータ１６を駆動し、それに直結したパルス板５１の回転を光検出器５０で読み取り、フォーカス駆動モータ１６が指定された駆動量を駆動するとフォーカス駆動モータ１６を停止する。
【００４１】
上記合焦動作が終了すると、ステップ＃１０１へ進み、カメラマイコン１００は、測光センサ７に定常光での被写界を複数に分割した各領域Ｐ（０，０）〜Ｐ（６，４）での輝度Ｂａ（０，０）〜Ｂａ（６，４）の測光を指示する。その測光結果は測光センサ７内の不図示の対数圧縮アンプにより対数圧縮され、電圧値に変換され、カメラマイコン１００に入力される。カメラマイコン１００は、Ｐ（０，０）〜Ｐ（６，４）まで順次Ａ／Ｄ入力端子を介して読み込み、撮影レンズ１１の開放ＦＮｏ（ＡＶｏ）と開放補正（ＡＶｃ）を加算し、各部の輝度データＢＶａ（０，０）〜ＢＶａ（６，４）としてカメラマイコン１００内の不図示のＲＡＭに格納する。
【００４２】
次のステップ＃１０２では、カメラマイコン１００は、測光した各領域での輝度値ＢＶａ（０，０）〜ＢＶａ（６，４）より公知の方法で露出値（ＢＶｓ）を決定する。そして、設定されたカメラの撮影モードに従って、シャッター速度の値（ＴＶ）と絞りの値（ＡＶ）とを決定する。
【００４３】
次のステップ＃１０３では、上記ステップ＃１０２で決定されたＴＶ値とＡＶ値をファインダー内表示器２２および外部表示器４２に表示する。そして、次のステップ＃１０４にて、撮影開始用のスイッチＳＷ２がオンされていればステップ＃１０５へ進み、オフであればステップ＃１０１に戻る。
【００４４】
ステップ＃１０５へ進むと、カメラマイコン１００は、通信端子Ｓ０，Ｓ１，Ｓ２を通してシリアル通信によりストロボマイコン２００に対して予備（プリ）発光を指令する。ストロボマイコン２００はこの予備発光指令を受けて、所定光量での予備発光動作を行う。
【００４５】
以下に、予備発光動作について説明する。
【００４６】
ストロボマイコン２００は、カメラ本体１より指示された所定発光レベルに応じて、ＤＡ０端子に所定の電圧を設定する。次に、Ｙ１，Ｙ０にＨｉ，Ｌｏを出力し、入力Ｄ２を選択する。このとき、Ｘｅ管３１は未だ発光していないので、第１の受光素子３５の光電流はほとんど流れず、コンパレータ２３１の反転入力端子に入力されるモニター回路２３４の出力は発生せず、コンパレータ２３１の出力はＨｉであるので、発光制御回路２１２は導通状態となる。
【００４７】
次に、ＴＲＩＧ端子よりトリガー信号を出力すると、トリガー回路２１１は高圧を発生したＸｅ管３１を励起し、予備発光が開始される。
【００４８】
また、ストロボマイコン２００は積分回路２３６に積分開始を指示し、この指示を受けた積分回路２３２はモニター回路２３６の出力、すなわち光量積分用の第１の受光素子３８の対数圧縮された光電出力の積分を開始すると同時に、発光時間をカウントするタイマーを起動させる。
【００４９】
予備発光が開始されると、フラット発光の発光レベル制御用の第２の受光素子３５からの光電流が多くなり、モニター回路２３４の出力が上昇する。そして、モニター回路２３４の出力がコンパレータ２０５の非反転入力に設定されている所定のコンパレート電圧より高くなると、コンパレータ２３１の出力はＬｏに反転し、発光制御回路２１２はＸｅ管３１の発光電流を遮断する。これにより、放電ループが断たれるが、ダイオード２０９およびコイル２０６により環流ループを形成し、発光電流は回路の遅れによるオーバーシュートが収まった後、徐々に減少する。
【００５０】
発光電流の減少に伴い、発光レベルが低下するので、第２の受光素子３５の光電流は減少し、モニター回路２３４の出力も低下する。そして、所定のコンパレートレベル以下に低下すると、再びコンパレータ２３１の出力がＨｉに反転し、発光制御回路２１２が再度導通してＸｅ管３１の放電ループが形成され、発光電流が増加して発光レベルも増加する。
【００５１】
このように、ＤＡ０に設定された所定のコンパレート電圧を中心に、コンパレータ２３１は短い周期で発光レベルの増加減少を繰り返し、結果的には、所望するほぼ一定の発光レベルで発光を継続させるフラット発光の制御が行われる。
【００５２】
前述したタイマーのカウントにより所定の発光時間が経過すると、ストロボマイコン２００はＹ１，Ｙ０端子をＬｏ，Ｌｏに設定する。これにより、データセレクタ２０６の入力はＤ０、すなわちＬｏレベル入力が選択され、出力は強制的にＬｏレベルとなり、発光制御回路２１２はＸｅ管３１の放電ループを遮断する。これにより、予備発光（フラット発光）が終了する。
【００５３】
発光終了時に、ストロボマイコン２００は、予備発光量を積分した積分回路２３６の出力をＡ／Ｄ入力端子ＡＤ０から読み込んでＡ／Ｄ変換し、積分値、すなわち予備発光時の発光量をデジタル値として読み取る。
【００５４】
上記の予備発光が終了すると、ステップ＃１０６へ進む。予備発光による被写体反射光は、撮影レンズ１１を通して、カメラ本体１の測光センサ７で受光されるので、予備発光時の被写体反射光を上記ステップ＃１０１と同様の方法で各ブロック毎に演算し、これによりストロボ反射光による被写体輝度ＢＶｆ（０，０）〜ＢＶｆ（６，４）を測光する。
【００５５】
次に、ステップ＃１０７へ進み、カメラマイコン１００は、予備発光時の被写体輝度ＢＶｆ（ｘ，ｙ）から上記ステップ＃１０１で求めた自然光による被写体輝度ＢＶａ（ｘ，ｙ）を差し引く事により、予備発光による反射光分のみの輝度値ｄＦ（ｘ，ｙ）を抽出する。
【００５６】
続くステップ＃１０８では、焦点検出点（デフォーカス情報を検出する領域を意味する）に応じた被写体反射光による測光値演算を行う。本実施形態では、簡単にするために、焦点検出点を３５分割測光センサ７の中央（図３参照、Ｐ（３，２））とし、調光エリアをＰ（３，２）を中心とした、３×３の領域の平均値とする。すなわち、被写体反射光測光平均値ｄＦａｖｅは上記ステップ＃１０７で求めた測光センサ７の各領域のｄＦ（ｘ，ｙ）から以下の式で導く。
【００５７】
2004258430.tif 000003
なお、本例では、均等に平均化したが、焦点検出領域の重み付けを高め、周辺の値を低めて平均化しても良い。
【００５８】
次のステップ＃１１０では、撮影レンズ１１よりの状態判別信号から被写体距離情報（以下、単に距離情報とも記す）を持っている（距離情報有りの情報を含んでいることを意味し、レンズ側に記憶されている）レンズであるか否かを判定し、距離情報を持っているレンズの場合はステップ＃１１１へ進み、距離情報を持っていないレンズである場合はステップ＃１１５へ進む。なおレンズの状態判別信号は、前述のカメラ−レンズ間のシリアル通信により撮影レンズから取得した情報である。
【００５９】
距離情報を持っているレンズであるとしてステップ＃１１１へ進むと、ここでは前記状態判別信号に含まれる距離の精度情報を持っているレンズであるか否かの判定を行い、精度情報を持っている場合はステップ＃１１２へ進み、精度情報を持っていないレンズである場合はステップ＃１１６へ進む。
【００６０】
ステップ＃１１２へ進むと、距離情報を持ち、距離の精度情報も持っているレンズであるので、取得した精度情報より、以下のステップ＃１１３，＃１１４，＃１１５の何れかに分岐する。詳しくは、取得した精度情報よりフォーカシング分割が、例えば、距離アペックス値（ＤＶ）に対して０．５段以内の精度で刻まれているレンズであれば、クラス１に分類する（＃１１３）。また、フォーカシング分割が、例えば距離アペックス値（ＤＶ）に対して１．０段以内の精度で刻まれているレンズであれば、クラス２に分類する（＃１１４）。また、フォーカシング分割が、例えば距離アペックス値（ＤＶ）に対して１段の精度も持たない場合は、距離情報を使用しないレンズに分類する（＃１１５）。そして、その後はいずれもステップ＃１１８へ進む。
【００６１】
また、距離情報を持っているが、距離の精度情報を持っていないレンズの場合は、ステップ＃１１１からステップ＃１１６へ進み、撮影レンズ１１より前述のカメラ−レンズ間のシリアル通信によりレンズ識別コード（ＩＤコード：レンズ機種別に異なる値）を読み出す。そして、次のステップ＃１１７にて、上記ステップ＃１１６で撮影レンズより取得したレンズ識別コードに応じて、精度的に距離情報を使えないレンズの場合はステップ＃１１５へ、前述のクラス１に相当するレンズの場合はステップ＃１１３へ、前述のクラス２に相当するレンズの場合はステップ＃１１４へ、それぞれ分岐する。
【００６２】
次のステップ＃１１８では、撮影レンズ１１より前述のカメラ−レンズ間のシリアル通信により被写体の距離情報を読み出す。続くステップ＃１１９では、上記ステップ＃１１８で取得した距離情報から、下式により距離情報のレンジの精度を演算する。
【００６３】
距離レンジ精度＝２＊ｌｏｇ２（無限側距離／至近側距離）
例）
無限側距離：２３５ｃｍ
至近側距離：１９９ｃｍ
2004258430.tif 000004
次のステップ＃１２０では、異常反射領域の判定レベルを決定するために、上記ステップ＃１１３又は＃１１４で判定したクラスを、上記ステップ＃１１９にて無限と至近の距離情報から判定した精度により補正する。すなわち、クラス１は０．５段精度、クラス２は１．０段精度であるが、実際の距離ゾーンにおける精度が優先されて最終的にクラスが決定される。つまり、０．５段精度を持つクラス１のレンズでも、無限に近い領域で１段の精度しかない場合は、クラス２のレンズとして扱う。そして、最終的に判定されたクラスと被写体距離情報に基づき、図８の判定レベルを示すテーブルから判定レベルＬＶＬ０を読み出す。なお図８において、被写体距離の情報は、上記ステップ＃１１８で読み出した撮影レンズ１１の無限側焦点距離を焦点距離で割ったものである。
【００６４】
次のステップ＃１２１では、適正露光となる測光レベルＬＶＬ１を以下の式で求める。
【００６５】
ＬＶＬ１＝ＰＲＧ−ｌｏｇ２（無限側距離）＋Ｋ
ＰＲＧ：プリ発光ガイドナンバー
Ｋ    ：定数
異常反射領域を判定する判定レベルＬＶＬ２は、以下の式で決定する。
【００６６】
ＬＶＬ２＝ＬＶＬ１＋ＬＶＬ０
そして、適正露光となる測光レベルＬＶＬ１に異常反射判定レベルＬＶＬ２を加えたものよりも明るい領域は、異常反射領域として調光領域から排除する。すなわち、上記ステップ＃１０７で求めた、測光センサ７の各領域の被写体反射光測光値ｄＦ（０，０）〜ｄＦ（６，４）の各測光値をＬＶＬ２と比較して、ＬＶＬ２より大きい場合はそのセンサエリアを無効エリア（排除領域）と判定する。
【００６７】
次のステップ＃１２２では、排除領域のレベルが所定値以上の場合、すなわち画面の多くの部分が異常反射領域と判定した場合はステップ＃１２４へ進み、そうでない場合はステップ＃１２３へ進む。
【００６８】
画面の多くの部分が異常反射領域ではないと判定してステップ＃１２３へ進むと、ここでは排除した残りの領域で測光値ｄＦを求める。
【００６９】
ｄＦ＝ＳＵＭ（有効領域のｄＦ）／有効領域の数
図９および図１０は、実際の被写体での例を示している。
【００７０】
図９の点線で示した領域は、図３で説明した各分割測光領域を示す。そして、図１０の太線で囲ったエリア（Ｐ（１，１）〜Ｐ（２，２））は、反射光の測光値ｄＦ（ｘ，ｙ）が上記ステップ＃１２１で求めた異常反射領域の判定レベルＬＶＬ２より高い領域であるので、調光対象からは排除する領域であり、太点線で囲った領域（Ｐ（２，１）〜ｐ（４，３））は、焦点検出点が中央（Ｐ（３，２））の時の調光範囲である。ここで、調光範囲から被写体反射光の平均値を出す場合に、異常反射領域Ｐ（２，１）およびＰ（２，２）は排除されるので、異常反射領域に引っ張られて主被写体の露出がアンダーになる事を防止できる。
【００７１】
一方、上記ステップ＃１２２で画面の多くの部分が異常反射領域と判定した場合はステップ＃１２４へ進むが、この場合、残りの領域だけで調光すると誤差が大きくなるので、上記ステップ＃１２１で求めた適正測光レベルＬＶＬ１を測光値ｄＦとして用いる。
【００７２】
ｄＦ＝ＬＶＬ１
また、距離情報を使用しない場合は、ステップ＃１１５からステップ＃１２５へ進み、焦点検出点に応じて各領域でのレベルを平均化して測光値ｄＦを算出する。すなわち、焦点検出点が画面中央の（Ｐ３，２）の場合であれば
ｄＦ＝ＳＵＭ（Ｐ（２，１）〜Ｐ（４，３））／９
で求める。
【００７３】
その後はステップ＃１２６へ進み、本発光量γを以下のようにして求める。
【００７４】
γ＝ＢＶｔ−ｄＦａｖｅ
なお、ＢＶｔは上記ステップ＃１０２で求めたＴＶ値とＡＶ値から下式で求める。
【００７５】
ＢＶｔ＝ＴＶ＋ＡＶ−ＳＶ            ＳＶ：撮影感度
次のステップ＃１２７では、カメラマイコン１００は演算により求めた本発光量γを通信端子Ｓ０，Ｓ１，Ｓ２を通してシリアル通信によりストロボマイコン２００に対して指令し、ステップ＃１３０へ進む。
【００７６】
ステップ＃１３０へ進むと、シャッター速度が同調速度以下か否かを判定し、同調速度以下の場合はステップ＃１３１へ進み、カメラマイコン１００はストロボマイコン２００に対して閃光発光モードを送信する。一方、同調速度より速い場合はステップ＃１３２へ進み、カメラマイコン１００はストロボマイコン２００に対してフラット発光モードとフラット発光時間（シャッター速度に幕速を加えた時間）を送信する。
【００７７】
次のステップ＃１３３では、主ミラー２を跳ね上げて撮影光路から退避させると同時に、カメラマイコン１００はレンズマイコン１１２に対して絞り１５の絞り込みを指示する。そして、次のステップ＃１３４にて、主ミラー２が撮影光路から完全に退避するのを待つ。その後、主ミラー２が撮影光路から完全に退避するとステップ＃１３５へ進み、カメラマイコン１００はシャッター先幕駆動マグネットＭＧ−１に通電し、フォーカルプレンシャッター８の開放動作を開始させる。
【００７８】
次のステップ＃１３６では、発光モードがフラット（ＦＰ）発光モードか否かを判定し、フラット発光モードの場合はステップ＃１３８へ進む。一方、閃光発光モードの場合はステップ＃１３７へ進み、フォーカルプレンシャッター８の先幕が完全に開いて不図示のＸ接点がオンになるまで待ち、これがオンになるとステップ＃１３８へ進む。
【００７９】
ステップ＃１３８へ進むと、ストロボマイコン２００はカメラマイコン１００から指令された発光モードに応じた本発光制御を行う。すなわち、フラット発光モードの場合はフラット発光制御を行い、閃光発光モードの場合は閃光発光制御を行う。
【００８０】
ここで、閃光発光制御について説明する。
【００８１】
カメラのシャッター速度がストロボ同調速度以下の場合は閃光発光制御が行われる。この場合、ストロボマイコン２００は、まず設定されたマニュアル発光量に応じた制御電圧をＤＡ０端子に出力する。この電圧は、前述の予備発光時に説明した積分回路２３６の出力電圧、すなわち積分電圧に対して、予備発光と本発光との光量差に相当する制御電圧を加算した電圧である。
【００８２】
例えば、フル発光量の１／３２の光量で予備発光をした場合の積分電圧をＶ１としたときに本発光量が同じ１／３２の場合は、同じ積分電圧になった時に発光停止すればよいので、コンパレータ２３２のコンパレート電圧としてＶ１を設定する。同様にして、本発光量が１／１６の場合では、予備発光に対して１段分大きな積分電圧になったときに発光を停止すればよいので、予備発光時の積分電圧に１段分に相当する電圧を加算してコンパレータ２３２のコンパレート電圧として設定する。
【００８３】
次に、ストロボマイコン２００はＹ１，Ｙ０端子に「０，１」を出力し、データセレクタ２３０のＤ１入力に接続された閃光発光制御用コンパレータ２３２を選択する。このときはＸｅ管３１は未だ発光していないので、第１の受光素子３８にはほとんど光電流が流れない。このため、積分回路２３６の出力は発生せず、コンパレータ２３２の−入力電圧は＋入力端子よりも電位が低い。したがって、コンパレータ２３２の出力電圧はハイレベルとなり、発光制御回路２１２は導通状態となる。また、これと同時にストロボマイコン２００はＴＲＩＧ端子から所定時間の間、Ｈｉ信号を出力する。これにより、トリガー回路２１１は高圧のトリガー電圧を発生する。Ｘｅ管３１のトリガー電極に高圧が印加されると、Ｘｅ管３１は発光を開始する。
【００８４】
Ｘｅ管３１が発光を開始すると、第１の受光素子３８に光電流が流れ、積分回路２３６の出力が上昇し、コンパレータ２３２の＋入力端子に設定された所定の電圧に達すると、コンパレータ２３２が反転し、その出力電圧はローレベルとなり、発光制御回路２１２は遮断状態となるので発光が停止される。
【００８５】
この時点で、Ｘｅ管３１は所定の発光量を発生して発光を停止することになり、ストロボ撮影に必要な所望の光量が得られる。
【００８６】
次に、フラット発光制御について説明する。
【００８７】
カメラのシャッター速度がストロボ同調速度より速い場合はフラット発光制御が行われる。ストロボマイコン２００は、設定されたマニュアルフラット発光量に応じた制御電圧をＤＡ０端子に出力する。すなわち、前述の予備発光時にコンパレータ２３１のコンパレート電圧として設定した電圧に対して、予備発光と本発光との光量差に相当する制御電圧を加算した電圧である。
【００８８】
例えば、フル発光の１／３２の発光で予備発光をした場合の制御電圧をＶ１としたときに、本発光が同じ１／３２の発光の場合は、同じ制御電圧でフラット発光制御をすればよいので、コンパレータ２３１のコンパレート電圧としてＶ１を設定する。同様にして、本発光量が１／１６の場合では予備発光に対して１段分大きな制御電圧とすればよいので、予備発光時の積分電圧に１段分に相当する電圧を加算してコンパレータ２３１のコンパレート電圧として設定する。
【００８９】
次に、ストロボマイコン２００はＹ１，Ｙ０端子に「１，０」を出力し、データセレクタ２３０のＤ２入力に接続されたフラット発光制御用のコンパレータ２３１を選択する。この後、前述の予備発光動作と同一の動作でフラット発光が行われ、カメラマイコン１００から指示された所定時間が経過すると、カメラマイコン２００のＹ１，Ｙ０端子を「０，０」に設定して発光処理を終了する。
【００９０】
図７に戻り、所定のシャッター開放時間が経過するとステップ＃１３９へ進み、カメラマイコン１００はシャッター後幕駆動マグネットＭＧ−２に通電し、フォーカルプレーンシャッター８の後幕を閉じて露出を終了する。なお、発光モードがフラット発光の場合は、後幕が完全に閉じるまで発光が継続する。そして、一連の撮影シーケンスを終了するとステップ＃１４０へ進み、主ミラー２をダウンさせ、撮影を終了する。
【００９１】
以上の実施の形態によれば、フォーカシングレンズ１２の位置から被写体の距離情報を検出する手段（距離エンコード１８、ブラシ１９、レンズマイコン１１２）と、検出される距離情報の精度を判別する手段（図６のステップ＃１１１〜＃１１７）と、前記距離情報より適正測光レベルＬＶＬ１を算出する手段（図６のステップ＃１２１）と、前記距離精度の判別結果に応じて設定される距離精度（図６のステップ＃１１９の距離レンジ精度）と前記適正測光レベルＬＶＬ１をもとに、異常反射領域を識別するための識別レベルＬＶＬ２（図６のステップ＃１２１）を算出する手段と、複数の領域（詳しくは、図３の調光領域）の測光値を前記識別レベルＬＶＬ２と比較することで、前記複数の領域中の異常反射領域を判別する手段（図６のステップ＃１２１）とを有し、前記複数の領域から前記異常反射領域を除外した領域による被写体反射光の測光値ｄＦにより、本発光量を制御してストロボ撮影を行う（図６のステップ＃１２４）ようにしている。
【００９２】
よって、複数の領域から異常反射領域を排除した領域にて得られる測光値によりストロボ撮影が行われるので、異常反射領域に引っ張られて主被写体の露出がアンダーになる事を防止できる。つまり、距離情報精度の悪いレンズや同様に被写体距離が遠くなると精度が低下する短焦点系のレンズなどのレンズの種類によらず、距離情報の精度に応じた最適なストロボ発光制御を行うことができる。
【００９３】
最後に、請求項１に記載の発明以外の本発明に係る実施態様を以下に列挙する。
【００９４】
（実施態様１）  カメラ本体と、該カメラ本体に装着される交換レンズと、前記カメラ本体に装着されるストロボとにより構成され、ストロボ撮影に際して本発光前に予備発光を行うストロボ撮影システムにおいて、被写界を複数に分割して測光する複数の領域を有し、予備発光による被写体からの反射光を前記複数の領域それぞれにて測光する測光手段と、フォーカシングレンズの位置から被写体の距離情報を検出する被写体距離検出手段と、前記距離情報の精度を判別する距離精度判別手段と、前記距離情報より適正測光レベルを算出する第１の演算手段と、前記距離精度判別手段の判別結果に応じて設定される距離精度と前記適正測光レベルをもとに、異常反射領域を識別するための識別レベルを算出する第２の演算手段と、前記複数の領域もしくは複数の領域中の調光領域の測光値を前記識別レベルと比較することで異常反射領域を判別する判別手段とを有し、前記複数の領域もしくは複数の領域中の調光領域から前記異常反射領域を除外した領域による被写体反射光の測光値により、本発光量を制御してストロボ撮影を行うことを特徴とするストロボ撮影システム。
【００９５】
（実施態様２）  前記距離精度判別手段は、前記交換レンズに記憶された識別データに従って距離精度の判別を行うことを特徴とする実施態様１に記載のストロボ撮影システム。
【００９６】
（実施態様３）  前記距離精度判別手段は、前記交換レンズが持つ距離精度に応じた情報信号に従って距離精度の判別を行うものであり、前記カメラ本体に具備されていることを特徴とする請求項１に記載のストロボ撮影システム。
【００９７】
（実施態様４）  前記距離精度判別手段は、前記交換レンズが持つレンズ個別情報に従って距離精度の判別を行うものであり、前記カメラ本体に具備されていることを特徴とする請求項１に記載のストロボ撮影システム。
【００９８】
（実施態様５）  前記距離精度判別手段は、前記交換レンズが持つ距離情報データの上限値と下限値の比率をもとに距離精度の判別を行うものであり、前記カメラ本体に具備されていることを特徴とする請求項１に記載のストロボ撮影システム。
【００９９】
（実施態様６）  ストロボ撮影に際して本発光前に予備発光を行わせるカメラにおいて、被写界を複数に分割して測光する複数の領域を有し、予備発光による被写体からの反射光を前記複数の領域それぞれにて測光する測光手段と、装着される交換レンズからの被写体の距離情報の精度を判別する距離精度判別手段と、前記距離情報より適正測光レベルを算出する第１の演算手段と、前記距離精度判別手段の判別結果に応じて設定される距離精度と前記適正測光レベルをもとに、異常反射領域を識別するための識別レベルを算出する第２の演算手段と、前記複数の領域の測光値を前記識別レベルと比較することで、前記複数の領域中の異常反射領域を判別する判別手段と、前記複数の領域から前記異常反射領域を除外した領域による被写体反射光の測光値を算出する第３の演算手段と有し、前記測光値に基づいて、装着されるストロボの本発光量を制御してストロボ撮影を行うことを特徴とするカメラ。
【０１００】
【発明の効果】
以上説明したように、本発明によれば、距離情報の精度に応じて、最適なストロボ発光制御を行うことができるストロボ撮影システムを提供できるものである。
【図面の簡単な説明】
【図１】本発明の実施の形態に係る、一眼レフレックスカメラと該カメラに装着されるストロボとによって成るストロボ撮影システムを示す構成図である。
【図２】本発明の実施の形態に係るストロボ撮影システムの回路構成を示すブロック図である。
【図３】本発明の実施の形態に係るストロボ撮影システムに具備される測光センサの構成について説明するための図である。
【図４】本発明の実施の形態に係るストロボ撮影システムの構成要素であるストロボ側の回路構成を示すブロック図である。
【図５】本発明の実施の形態に係るストロボ撮影システムの構成要素であるカメラ本体での動作の一部を示すフローチャートである。
【図６】図５の動作の続きを示すフローチャートである。
【図７】図６の動作の続きを示すフローチャートである。
【図８】本発明の実施の形態に係るストロボ撮影システムにおいて被写体距離情報の寄与率を示す図である。
【図９】本発明の実施の形態において異常反射の影響を受ける被写体の例を示す図である。
【図１０】本発明の実施の形態において異常反射領域と調光領域を説明するための図である。
【符号の説明】
１      カメラ本体
７      測光センサ
１１    撮影レンズ
１２    フォーカシングレンズ
１８    距離エンコーダ
１９    ブラシ
３０    ストロボ
３１    キセノン管  ２４    ファインダー内表示器
４２    外部表示器
１００  カメラマイコン
１１２  レンズマイコン
２００  ストロボマイコン
【図１】
2004258430.tif 000005
【図２】
2004258430.tif 000006
【図３】
2004258430.tif 000007
【図４】
2004258430.tif 000008
【図５】
2004258430.tif 000009
【図６】
2004258430.tif 000010
【図７】
2004258430.tif 000011
【図８】
2004258430.tif 000012
【図９】
2004258430.tif 000013
【図１０】
2004258430.tif 000014